(57)【特許請求の範囲】
【請求項１】
遊技盤面に取り付けられるベース部材と、前記ベース部材の前面側に設けられるゲート部材とを備え、
前記ベース部材は取付板と該取付板の裏面に止着されるベース基板とからなり、前記ゲート部材は円形板の前面に複数の突起物が同心円状に突設されかつその複数の突起物のいずれか２本の間を遊技球が通過可能なように構成され、
前記ゲート部材はその外周縁に設けられた円形フランジ部が前記取付板と前記ベース基板との間で支持されるようにして回転自在に設けられ、
前記ベース部材に、前記通過する遊技球を検出する検出スイッチを設けてなることを特徴とするパチンコ遊技機の可動式通過ゲート。
【請求項２】
遊技盤面に取り付けられるベース部材と、前記ベース部材の前面側に設けられるゲート部材とを備え、
前記ベース部材は取付板と該取付板の裏面に止着されるベース基板とからなり、前記ゲート部材は円形板の前面に複数の突起物が同心円状に突設されかつその複数の突起物のいずれか２本の間を遊技球が通過可能なように構成され、
前記ゲート部材は前記円形板の外周縁に設けられた円形フランジ部が前記取付板と前記ベース基板との間で支持されるようにして回転自在に設けられ、
前記ベース部材の裏面側に前記突起物間を通過する遊技球を検出する検出スイッチを設けてなることを特徴とするパチンコ遊技機の可動式通過ゲート。
【請求項３】
遊技盤面に取り付けられるベース部材と、前記ベース部材の前面側に設けられるゲート部材とを備え、
前記ベース部材は取付板と該取付板の裏面に止着されるベース基板とからなり、前記ゲート部材は円形板の前面に複数の突起物が同心円状に突設されかつその複数の突起物のいずれか２本の間を遊技球が通過可能なように構成され、前記円形板に前記突起物間を通過する遊技球が飛び込み可能な入球口を設け、
前記ゲート部材は前記円形板の外周縁に設けられた円形フランジ部が前記取付板と前記ベース基板との間で支持されるようにして回転自在に設けられ、
前記ベース部材の裏面側に前記入球口に入球した遊技球を検出する検出スイッチを設けてなることを特徴とするパチンコ遊技機の可動式通過ゲート。
【発明の詳細な説明】
【０００１】
【発明の属する技術分野】
本発明は、パチンコ遊技機の遊技盤面に取り付けられる可動式通過ゲートに関するものである。
【０００２】
【従来の技術】
従来、遊技盤面に大入賞口、図柄変動表示装置、図柄始動用の通過ゲート等を配設し、遊技球が図柄始動用の通過ゲートを通過すると図柄表示装置の図柄を変動させると共に、その停止時の表示が特定図柄に揃ったとき特別遊技状態（大当り）が発生して大入賞口の開閉部材を所定時間（例えば約３０秒）又は所定個数（例えば１０個）の遊技球が入賞するまで開成し、さらに開閉部材が開成状態の間に遊技球が継続入賞口に入賞すると所定回数（例えば１６ラウンド）まで特別遊技状態を継続するように構成されたパチンコ遊技機が知られている。
【０００３】
ところで、従来の図柄始動用の通過ゲートは、遊技盤面に取り付けられる取付板の前面に遊技球の通過口を有するゲート部材を設けて構成されており、遊技球が通過口を通過すると該通過口に臨ませた検出スイッチで検出して図柄表示装置の図柄を変動させるようになっていた。
【０００４】
【発明が解決しようとする課題】
このように従来の図柄始動用の通過ゲートにあっては、単に遊技球がゲート部材に設けられた通過口を通過するだけであって通過ゲートそのものに動きがなく面白さに欠け、かつマンネリ化の傾向にあった。
【０００５】
本発明は上記に鑑み提案されたもので、その目的とするところは、簡単な構成で動的な面白さを備えさせると共に、遊技球を左右に振り分けて遊技に変化を持たせる風車としての機能も有するパチンコ遊技機の可動式通過ゲートを提供することである。
【０００６】
また、本発明の他の目的は、簡単な構成で変化に富んだ風車付き入賞球装置として使用可能なパチンコ遊技機の可動式通過ゲートを提供することである。
【０００７】
【課題を解決するための手段】
上記した目的を達成するために請求項１に係る発明は、遊技盤面に取り付けられるベース部材と、該ベース部材の前面側に回転自在に設けられ遊技球が通過可能なゲート部材とを備え、前記ゲート部材に、前記通過する遊技球を検出する検出スイッチを設けてなることを特徴とする。
【０００８】
また、請求項２に係る発明は、遊技盤面に取り付けられるベース部材と、該ベース部材の前面側に回転自在に設けられるゲート部材とを備え、前記ゲート部材は、円形板の前面に複数の突起物を同心円状に突設し、かつその複数の突起物のいずれか２本の間を遊技球が通過可能なように構成されており、さらにベース部材の裏面側に前記突起物間を通過する遊技球を検出する検出スイッチを設けてなることを特徴とする。更に、請求項３に係る発明は、遊技盤面に取り付けられるベース部材と、該ベース部材の前面側に回転自在に設けられるゲート部材とを備え、前記ゲート部材は、円形板の前面に複数の突起物を同心円状に突設し、かつその複数の突起物のいずれか２本の間を遊技球が通過可能なように構成されており、さらに前記円形板に突起物間を通過する遊技球が飛び込み可能な入球口を設けると共に、該入球口に入球した遊技球を検出する検出スイッチを設けてなることを特徴とする。
【０００９】
そして、請求項２に係る発明によれば、遊技球が複数の突起物のいずれか２本の間を通過すると検出スイッチで検出されて図柄表示装置の図柄を変動させることができ、また、遊技球が突起物にダイレクトで衝突するとゲート部材の回転により一般的な風車と同じように左右に振り分けられるだけに止まる等変化に富んだものとなり、遊技の興趣を高めることが可能となる。
【００１０】
また、請求項３に係る発明によれば、遊技球が複数の突起物のいずれか２本の間を通過する際に他の突起物にタイミングよく衝突して入球口に飛び込むと入賞球となり、或いはそのまま下方へ通過するだけに止まる。また、遊技球が突起物にダイレクトで衝突するとゲート部材の回転により一般的な風車と同じように左右に振り分けられるだけに止まる等変化に富んだものとなり、遊技の興趣を高めることが可能となる。
【００１１】
【発明の実施の形態】
次に、本発明の実施の形態を図面に基づいて詳細に説明する。図１は本発明の第１実施の形態に係る可動式通過ゲートの斜視図、図２はその分解斜視図、図３は中央縦断側面図である。可動式通過ゲート１は、遊技盤面に取り付けられるベース部材２と、該ベース部材２の前面側に回転自在に設けられるゲート部材３とを有する。ベース部材２は、図２に示すように取付板４と該取付板４の裏面にビス止めされるベース基板５とにより構成されるもので、取付板４の中央には円形の開口６が設けられている。また、取付板４の裏面側であって開口６の周縁を囲うように嵌合凹溝７が周設された環状リブ８が突出形成されている
【００１２】
前記ベース基板５は円盤状に形成されており、その中心に筒状孔９が設けられている。また、取付板４の裏面と接合する前面側に筒状孔９と同心円状に環状の突条１０が設けられている。この突条１０は３つに分断して形成されており、その分断個所に位置したベース基板５にねじ挿通孔１１がそれぞれ穿設されている。また、ベース基板５の前面側であり、突条１０で囲まれる部分に筒状孔９を中心として円形状の大径段部１２と小径段部１３とが段状に形成されている。なお、ベース基板５の裏面側には角筒状の取付部１４が設けられており、その取付部１４に検出スイッチ１５が嵌合保持されている。そして、検出スイッチ１５の検出部がベース基板５の筒状孔９に後方から臨むようにされている。
【００１３】
一方、前記ゲート部材３は中心に円形孔１６が設けられた円形板１７を有し、その円形板１７の前面側であり、かつ円形孔１６と同心円状に突起物としての３本の円筒体１８ａ，１８ｂ、１８ｃを一体に突設して構成されている。前記３本の円筒体１８ａ，１８ｂ、１８ｃはそれぞれ等間隔であり、かつ各円筒体１８ａ，１８ｂ、１８ｃのいずれか２本の間を遊技球が自由に通過し得るように設けられている。また、円形板１７は前記取付板４の開口６と略同じ直径であり、かつその外周縁に大径段部１２に接合する円形フランジ部１９が設けられている。また、円形板１７の裏面側にはベース基板５の小径段部１３と嵌り合う凹部２０が設けられている。なお、円形板１７の円形孔１６はベース基板５の筒状孔９が嵌挿し得る大きさである。また、前記３本の円筒体１８ａ，１８ｂ、１８ｃの前面には円板２１がねじ止めされ、さらに円板２１の表面に装飾シール２２が貼着されるようになっている。
【００１４】
このように構成された可動式通過ゲート１は、図３に示すようにゲート部材３をベース基板５の前面に重合して円形板１７の凹部２０を小径段部１３に嵌め合わせた後、取付板４の嵌合凹溝７とベース基板５の突条１０とを嵌合してベース基板５の裏面側からねじ２３により止着する。これによって、ゲート部材３の円形フランジ部１９がベース基板５の大径段部１２と取付板４との間で支持されて該ゲート部材３ががたつくことなく軽快に回転し得るように組み付けられる。なお、取付板４の前面と円形板１７の前面とは同一平面となるように設定されている。
【００１５】
図４は以上説明した第１実施の形態に係る可動式通過ゲート１が適用されるパチンコ遊技機の遊技盤の構成例を示す正面図である。遊技盤２４の表面にはガイドレール２５で囲まれる遊技部が形成され、その遊技部の中央上部に２つの図柄表示器２６，２７を上下に有する図柄表示装置２８が配設されている。また、図柄表示装置２８の両側方には第１実施の形態の可動式通過ゲート１が配設され、下方には可変始動口２９と大入賞口３０とが配設されている。なお、３１は一般入賞口である。前記下部の図柄表示器２７は、例えば複数（左，中，右の３つ）に区分された数字，文字等の図柄を変動表示可能な液晶（ＬＣＤ）、或いはＣＲＴ等の表示器で構成されている。また、可動式通過ゲート１は３本の円筒体１８ａ，１８ｂ、１８ｃのうち例えば図５（イ）に示すように２本の円筒体１８ａ，１８ｂが上部で横方向に平行に並んだ状態で止まるとその円筒体１８ａ，１８ｂ間を遊技球が通過し易くなり、反対に図５（ロ）に示すように１本の円筒体１８ｃが上部に位置した状態で止まると通過するのが困難になるようになっている。
【００１６】
次に、第１実施の形態に係る可動式通過ゲート１の作用について図４を参照しつつ説明する。例えば可動式通過ゲート１の円筒体１８ａ，１８ｂが上部で横方向に平行に並んだ図５（イ）に示す状態で止まっているときに遊技盤２４の遊技部に発射された遊技球が上方から可動式通過ゲート１に落下すると該遊技球は可動式通過ゲート１の円筒体１８ａ、１８ｂの間を通過して検出スイッチ１５で検出され、上部の図柄表示器２６が変動表示を開始して一定時間後に停止する。そして、停止時の表示が所定図柄（例えば７）になると可変始動口２９の開閉片２９ａ，２９ａが一定時間開放され、該可変始動口２９に遊技球が入賞すると下部の図柄表示器２７の表示図柄が変動して所定時間後に停止する。そして、図柄表示器２７の停止時の表示図柄が特定図柄（例えば「１，１，１」，「７，７，７」）に揃うと特別遊技状態（大当り）となって大入賞口３０の開閉扉３０ａを一定時間（例えば約３０秒）又は一定個数（例えば１０個）のパチンコ球が入賞するまで開成するもので、これによって、多くの入賞球を発生させて遊技者にとって多大な利益が付与される。
【００１７】
一方、例えば可動式通過ゲート１が図５（ロ）に示す状態で止まっているときに遊技盤２４の遊技部に発射された遊技球が上方から可動式通過ゲート１に落下すると該遊技球は可動式通過ゲート１の円筒体１８ｃに衝突してゲート部材３を回転させながら一般的な風車と同じように左右に振り分けられるだけに止まる。なお、可動式通過ゲート１が図５（イ）或いは図５（ロ）に示す状態で止まっているときに遊技球の落下状況によっては側方から各円筒体１８ａ，１８ｂ、１８ｃのいずれか２本の間を通過することも当然にあり得る。
【００１８】
このように、第１実施の形態に係る可動式通過ゲート１は、ゲート部材３の停止位置によって遊技球が各円筒体１８ａ〜１８ｃのいずれか２本の間を通過して図柄表示器２６を変動表示させたり、或いは左右に振り分けられたりするだけに止まる等多様に変化して動的な面白さに富んだものとなり、しかも図柄表示器２６の変動表示に偶然性が伴って遊技者の興味を引き、遊技の興趣を高めることができる。
【００１９】
次に、図６ないし図９を参照して第２実施の形態に係る可動式通過ゲート１ａについて説明する。この第２実施の形態に係る可動式通過ゲート１ａが第１実施の形態に係る可動式通過ゲート１と異なるところは、主としてゲート部材３に入球口を設けたことであるため、図６ないし図９において第１実施の形態と同じ構造のものには同一符号を付して示している。これについて説明すると、この第２実施の形態の可動式通過ゲート１ａでは図７に示すようにゲート部材３の円形板１７であって、その中心に遊技球が後方へ通過し得る入球口３２を設けている。また、ベース部材２のベース基板５であり、その中心に入球口３２と一致する通孔３３を開設し、さらに通孔３３と連通状に樋状の球誘導部３４をベース基板５の裏面に一体に設けている。また、球誘導部３４と一体に取付部３５が設けられており、該取付部３５に入球口３２に入球して球誘導部３４に導かれる遊技球を検出する検出スイッチ３６が嵌合保持されている。なお、円形板１７に突設された３本の円筒体１８ａ，１８ｂ、１８ｃは入球口３２の周縁に沿うような位置配置になっている。その他の構造は第１実施の形態と同じである。
【００２０】
このように構成された第２実施の形態に係る可動式通過ゲート１ａは、例えば図９（イ）に示すように円筒体１８ａ，１８ｂが上部で横方向に平行に並んだ状態で止まっているときに遊技盤２４の遊技部に発射された遊技球が上方から可動式通過ゲート１ａに落下すると該遊技球は円筒体１８ａ、１８ｂの間を通過して下部中央に位置する円筒体１８ｃに衝突し、そのタイミングによって入球口３２に飛び込んで入賞球となったり、或いは円形板１７を回転させながらそのまま下方へ通過したりする。また、可動式通過ゲート１ａが図９（ロ）に示す状態で止まっているときに遊技盤２４の遊技部に発射された遊技球が上方から可動式通過ゲート１ａに落下すると該遊技球は円筒体１８ｃに衝突してゲート部材３を回転させながら一般的な風車と同じように左右に振り分けられるだけに止まる。なお、可動式通過ゲート１ａが図９（イ）或いは図９（ロ）に示す状態で止まっているときに遊技球の落下状況によっては側方から各円筒体１８ａ，１８ｂ、１８ｃのいずれか２本の間を通過してタイミングよく入球口３２に飛び込んで入賞球となることも当然にあり得る。
【００２１】
このように、第２実施の形態に係る可動式通過ゲート１ａは、ゲート部材３の停止位置によって各円筒体１８ａ〜１８ｃのいずれか２本の間を通過する遊技球を入賞球としたり、或いは左右に振り分け落下させたりするだけに止まる等多様に変化して動的な面白さと入賞のスリルを楽しむことができ、遊技者の興味を引いて遊技の興趣を高めることができる。
【００２２】
【発明の効果】
以上説明したように請求項２に係る発明は、遊技盤面に取り付けられるベース部材と、該ベース部材の前面側に回転自在に設けられ、かつ円形板の前面に複数の突起物を同心円状に突設したゲート部材とを備え、前記各突起物間を遊技球が通過可能なように構成すると共に、ベース部材の裏面側に前記ゲート部材の突起物間を通過する遊技球を検出する検出スイッチを設けたものであるから、遊技球がタイミングよく突起物間を通過すると検出スイッチで検出されて図柄表示装置の図柄を変動させることができ、また、突起物に衝突するとゲート部材の回転により左右に振り分けられるだけに止まる等変化に富んだものとなり、パチンコ遊技の興趣を著しく高めることができる。
【００２３】
また、請求項３に係る発明は、遊技盤面に取り付けられるベース部材と、該ベース部材の前面側に回転自在に設けられ、かつ円形板の前面に複数の突起物を同心円状に突設したゲート部材とを備え、前記各突起物間を遊技球が通過可能なように構成すると共に、前記円形板に遊技球が飛び込み可能な入球口を設け、さらに該入球口に入球した遊技球を検出する検出スイッチを設けたものであるから、遊技球が突起物間を通過する際に突起物にタイミングよく衝突して入球口に飛び込むと入賞球となり、また、突起物に衝突するとゲート部材の回転により左右に振り分けられるだけに止まる等動的な面白さと入賞のスリルを楽しむことができ、遊技者の興味を引いて遊技の興趣を高めることができる。
【図面の簡単な説明】
【図１】  本発明の第１実施の形態に係る可動式通過ゲートの斜視図である。
【図２】  図１の分解斜視図である。
【図３】  図１の中央縦断側面図である。
【図４】  本発明が適用されるパチンコ遊技機の遊技盤の構成例を示す正面図である。
【図５】  （イ）、（ロ）は第１実施の形態に係る可動式通過ゲートの作用を説明する正面断面図である。
【図６】  本発明の第２実施の形態に係る可動式通過ゲートの斜視図である。
【図７】  図６の分解斜視図である。
【図８】  図６の中央縦断側面図である。
【図９】  （イ）、（ロ）は第２実施の形態に係る可動式通過ゲートの作用を説明する正面断面図である。
【符号の説明】
１，１ａ              可動式通過ゲート
２                    ベース部材
３                    ゲート部材
４                    取付板
５                    ベース基板
１５、３６            検出スイッチ
１７                  円形板
１８ａ〜１８ｃ        円筒体（突起物）
１９                  円形フランジ部
２４                  遊技盤
３２                  入球口
【図１】
0004054514.tif 000002
【図２】
0004054514.tif 000003
【図３】
0004054514.tif 000004
【図４】
0004054514.tif 000005
【図５】
0004054514.tif 000006
【図６】
0004054514.tif 000007
【図７】
0004054514.tif 000008
【図８】
0004054514.tif 000009
【図９】
0004054514.tif 000010